(57)【要約】【課題】  見易く、且つ、マルチチャンネル放送されている番組名も容易に確認することができる番組表を画面表示する。【解決手段】  電子番組表表示装置は、電子番組ガイドデータに基づいて、番組表表示部１２が放送局及び放送番組名を含む番組表を画面２に表示させる。そして、選択判定部１３が番組表においていずれの放送局又は放送番組が選択されたかを判定したことに応じて、マルチチャンネル表示部１４が選択された放送局又は放送番組に関連したマルチチャンネル放送の番組情報を画面２に表示する。【選択図】  図２
2014116725.tif 000002
【特許請求の範囲】
【請求項１】
放送局毎の放送チャンネル名と放送番組の放送時間を含む電子番組ガイドデータに基づいて番組表を表示する番組表表示部と、
前記番組表において選択された放送局又は放送番組を判定する選択判定部と、
前記選択判定部で判定された前記放送局又は放送番組に関連したマルチチャンネル放送の番組情報を表示するマルチチャンネル表示部と、を備えることを特徴とする電子番組表表示装置。
【請求項２】
前記マルチチャンネル表示部は、前記選択判定部で判定された前記放送局又は放送番組に隣接して前記マルチチャンネル放送の番組情報を表示することを特徴とする請求項１に記載の電子番組表表示装置。
【請求項３】
前記マルチチャンネル表示部は、前記選択判定部で判定された放送番組と前記マルチチャンネル放送の放送番組とが同一であるときは、前記マルチチャンネル放送の番組情報を表示しないことを特徴とする請求項１又は２に記載の電子番組表表示装置。
【請求項４】
前記マルチチャンネル表示部は、前記選択判定部で判定された放送番組と同一の時間帯のマルチチャンネル放送の番組情報を表示することを特徴とする請求項１乃至３のいずれか１項に記載の電子番組表表示装置。
【請求項５】
前記マルチチャンネル表示部は、前記選択判定部で判定された放送局に関連するマルチチャンネル放送の番組情報を所定の放送時間に亘って表示することを特徴とする請求項１乃至３のいずれか１項に記載の電子番組表表示装置。
【請求項６】
前記マルチチャンネル表示部は、前記選択判定部で判定された放送番組の開始時刻以降のマルチチャンネル放送の番組情報を表示することを特徴とする請求項１乃至３のいずれか１項に記載の電子番組表表示装置。
【請求項７】
前記マルチチャンネル表示部は、前記マルチチャンネル放送の番組情報を表示する表示枠を強調表示することを特徴とする請求項１乃至６のいずれか１項に記載の電子番組表表示装置。
【請求項８】
前記マルチチャンネル表示部は、前記マルチチャンネル放送の番組情報を半透明又は透明の表示部で表示することを特徴とする請求項１乃至７のいずれか１項に記載の電子番組表表示装置。
【請求項９】
前記マルチチャンネル表示部は、前記マルチチャンネル放送の番組情報を放送局又は放送番組を選択するカーソルが移動して来た側に表示することを特徴とする請求項１乃至８のいずれか１項に記載の電子番組表表示装置。
【発明の詳細な説明】
【技術分野】
【０００１】
本発明は、電子番組ガイドデータに基づいて、放送番組の番組表を表示する技術に関する。
【背景技術】
【０００２】
例えば、テレビ放送ではデジタル化が普及し、デジタル映像・音声信号による高画質・高音質な番組の放送がなされている。
また、電子番組ガイド（ＥＰＧ：Electric Program Guide）のサービスも実施されている。テレビジョン受像装置やテレビ放送記録再生装置等のテレビ放送受信装置が電子番組ガイドデータを受信することで、放送チャンネル名と放送時間とを対応付けた形式で放送番組名を表示する放送番組表を画面表示して、ユーザが放送番組を選択し易くしている。
【０００３】
特許文献１に記載の放送受信装置では、電子番組ガイド（ＥＰＧ）データを受信すると、同一番組が同じ時間帯に複数存在しない場合は、チャンネルごとに、該当する番組の内容が表示されるという形式の通常のＥＰＧテーブが作成される。他方、同一番組が複数存在する場合は、複数のチャンネルに渡った同一領域に同一の番組内容を１つ表示するという形式のＥＰＧテーブルが作成される。そして、作成されたＥＰＧテーブルは、表示要求に備えて保存される。
【０００４】
特許文献２に記載の放送受信装置では、デジタル放送の番組情報を取得し、取得した番組情報に基づき、受信する放送波が、第１の閾値時間以内にマルチ編成となるか否かを判定し、第１の閾値時間以内にマルチ編成となると判定された場合、受信する放送波がマルチ編成となる旨を通知する。
【０００５】
特許文献３に記載の映像表示装置では、デジタル放送のＳＤ放送とＨＤ放送が混在したいわゆる「まだら放送」を受信する映像表示装置において、指定された時間帯の番組のスケジュール表を表示する場合に、ＳＤ放送を複数同時放送する放送局が含まれているか否かをチェックする。そして、ＳＤ放送を複数同時放送する放送局が含まれていないときには、一放送局ごとの放送される番組に一単位の表示枠で表示し、ＳＤ放送の番組を複数同時放送する放送局が含まれているときには、同時放送された一つのＳＤ放送のチャンネルごとの番組に、一単位の表示枠を割り当てて映像表示装置の表示部に番組のスケジュール表を表示する。
【０００６】
特許文献４に記載のディジタル放送内容表示装置では、ディジタルテレビ放送の特徴となるＨＤ放送番組とＳＤ放送番組とが混合した各番組情報を単チャンネルで単純化したリスト型ＥＰＧ画面によって表示させるだけでなく、その中で同時刻に多重化されたＳＤ放送の各番組情報を強調表示の枠により囲って表示させる。
【０００７】
特許文献５に記載の電子番組表示装置では、現行のＥＰＧ方式を利用してＢＳデジタルテレビジョン放送のＥＰＧ表示を行うことによる問題を改善するため、デジタルテレビジョン放送を受信するに際し、ＨＤＴＶ放送の場合に、これに携わる各チャンネルを統合してコントロール回路で処理し、各チャンネルを単一のチャンネル形態としてＯＳＤ回路を介して、テレビジョン受像装置の画面中に表示させる。
【０００８】
特許文献６に記載の放送内容表示装置では、ＥＰＧ表示モードが実行されると、ホストＣＰＵは、デマルチプレクサにより分離された番組情報をメインメモリに一旦格納し、再びＥＰＧ表示に必要な番組情報のみを取り込み、グラフィック生成部やバックエンドプロセッサ等を制御してＥＰＧ画面をＯＳＤ表示させる。このとき、ホストＣＰＵはＥＰＧ画面の放送局方向についてＳＤ放送に基づく表示サイズの表示枠を主に構成して表示し、ＨＤ放送又はマルチＳＤ放送の番組情報を表示する表示枠を該ＨＤ放送に使用しているＳＤ放送のチャンネル数と同等分の表示サイズで表示し、さらに各表示枠にその放送形態を示す情報を表示する。
【先行技術文献】
【特許文献】
【０００９】
【特許文献１】特開２００９−２２５４８６号公報
【特許文献２】特開２００９−１３５６４６号公報
【特許文献３】特開２００８−２５８９５９号公報
【特許文献４】特開２００６−０５０５０７号公報
【特許文献５】特開２００１−１８６４３６号公報
【特許文献６】特開２０００−１５２１１４号公報
【発明の概要】
【発明が解決しようとする課題】
【００１０】
高密度な情報転送が可能なデジタル放送では、高画質なＨＤ（High Definition）放送と、標準画質なＳＤ（Standard
Definition）放送とを混在させた編成で番組を放送することが可能である。
これにより、或る時間帯においては１チャンネルのＨＤ放送、他の時間帯においては２チャンネル以上のＳＤ放送（マルチチャンネル放送）といったように、放送局毎に種々な放送形態で番組編成をすることが行なわれている。
【００１１】
このようにＨＤ放送とＳＤ放送とが混在するデジタル放送において、その電子番組ガイドデータにより画面に表示される放送番組表の形式は、（１）マルチチャンネル放送を基準として番組表の放送番組名を表示する枠をＳＤ放送のチャンネル毎に設け、これらの枠にＨＤ放送の番組名又は各ＳＤ放送の番組名を表示するもの、或いは、（２）ＨＤ放送を基準として番組表の放送番組名を表示する枠を１つ設け、この枠にＨＤ放送の番組名又は１つのＳＤ放送の番組名を表示するもの、が採用されている。
【００１２】
しかしながら、前者（１）の形式にあっては、放送番組名を表示する枠が１つで足りるＨＤ放送に対しても複数の枠が設けられるため、番組表が大きくなって、ユーザが見辛いものとなる。
他方、後者（２）の形式にあっては、番組表がコンパクトなものとなって、小型の画面でもユーザが見易いという利点がある反面、番組がマルチチャンネル放送されているか否かを目視によって確認することが容易ではないものとなる。
【００１３】
本発明は、ユーザが見易く、且つ、マルチチャンネル放送されている番組名も容易に確認することができる番組表を画面表示することを目的としている。
【課題を解決するための手段】
【００１４】
本発明に係る電子番組表表示装置は、放送局毎の放送チャンネル名と放送番組の放送時間を含む電子番組ガイドデータに基づいて番組表を表示する番組表表示部と、前記番組表において選択された放送局又は放送番組を判定する選択判定部と、前記選択判定部で判定された前記放送局又は放送番組に関連したマルチチャンネル放送の番組情報を表示するマルチチャンネル表示部と、を備える。
【００１５】
例えば、上記ＨＤ放送とＳＤ放送とが混在する場合、通常は、番組表の放送番組名を表示する枠はＨＤ放送を基準として１つ設けられ、この枠にＨＤ放送の番組名又は１つのＳＤ放送の番組名が表示され、番組表はコンパクトな形式で画面に表示される。
そして、番組表においていずれの放送局又は放送番組がユーザにより選択されたことに応じて、選択された放送局又は放送番組において関連するマルチチャンネル放送があると、マルチチャンネル放送の番組情報（例えば、マルチチャンネル放送の番組名）が画面上に表示される。
【００１６】
この表示方法の一例として、ユーザが番組表において放送局や放送番組を選択すると、当該放送局や放送番組についてマルチチャンネル放送される放送番組名の番組表が、別ウインドウや吹き出しウインドウなどといった種々な形式で、通常の番組表が表示されている画面上のいずれかの位置に表示され、ユーザがマルチチャンネル放送されている番組を容易に確認できる。
【００１７】
本発明では、前記マルチチャンネル表示部が、前記関連したマルチチャンネル放送の番組情報を、前記選択された放送局又は放送番組の番組表示に隣接して表示するのが好ましい。
これによって、いずれの放送局や放送番組においてマルチチャンネル放送がされているかを、ユーザが視覚によって直感的に確認することができる。
なお、本発明では、前記関連したマルチチャンネル放送の番組情報を表示する態様として、例えば、前記マルチチャンネル表示部が、マルチチャンネル放送される放送番組名を、放送チャンネル名と放送時間とによる行列形式で画面上に表示することができる。
【００１８】
また、本発明では、前記マルチチャンネル表示部は、前記選択判定部で判定された放送番組と前記マルチチャンネル放送の放送番組とが同一であるときは、前記マルチチャンネル放送の番組情報を表示しないようにするのが好ましい。
これによって、重複する放送番組の表示を回避することができる。
【００１９】
また、本発明では、前記マルチチャンネル表示部は、前記選択判定部で判定された放送番組と同一の時間帯のマルチチャンネル放送の番組情報を表示するようにするのが好ましい。
これによって、同じ時間帯におけるマルチチャンネル放送の有無やマルチチャンネル放送の番組情報を表示することができる。
【００２０】
また、本発明では、前記マルチチャンネル表示部は、前記選択判定部で判定された放送局に関連するマルチチャンネル放送番組を所定の放送時間に亘って表示するようにするのが好ましい。
これによって、例えば番組表に表示される放送局の全放送時間といった所定の放送時間に亘って、選択された放送局に関連するマルチチャンネル放送の番組情報を表示することができる。すなわち、装置設計やユーザ操作により設定された放送時間幅で、マルチチャンネル放送の番組情報を表示することができる。
【００２１】
また、本発明では、前記マルチチャンネル表示部は、前記選択判定部で判定された放送番組の開始時刻以降のマルチチャンネル放送の番組情報を表示するようにするのが好ましい。
これによって、これから視聴することが可能なマルチチャンネル放送の番組情報を表示することができる。
【００２２】
また、本発明では、前記マルチチャンネル表示部は、前記マルチチャンネル放送の番組情報を表示する表示枠を強調表示するようにするのが好ましい。
これによって、関連するマルチチャンネル放送の番組の存在及びその情報を、ユーザが視覚によってより容易に確認することができる。
【００２３】
また、本発明では、前記マルチチャンネル表示部は、前記マルチチャンネル放送の番組情報を半透明又は透明の表示部で表示するようにするのが好ましい。
これによって、マルチチャンネル放送の番組情報を表示することで覆われる他の番組情報も表示することができる。
【００２４】
また、本発明では、前記マルチチャンネル表示部は、前記マルチチャンネル放送の番組情報を放送局又は放送番組を選択するカーソルが移動して来た側に表示するようにするのが好ましい。
これによって、カーソルを操作するユーザに、マルチチャンネル放送の番組情報が表示される位置を予測させることができる。
【００２５】
なお、本発明は、電子番組表表示機能を備えたテレビジョン受信装置として実施することができる。
また、電子番組表表示機能を備えたＨＤＤ，ＤＶＤ等のレコーダ・プレイヤといったテレビ放送記録再生装置として実施することができ、モニタ画面として、テレビ放送記録再生装置が接続されるテレビジョン受信装置の画面を用いることができる。
【００２６】
なお、本発明は、典型的には、ＨＤ放送とＳＤのマルチチャンネル方法とが混在する番組編成に対応するものであるが、テレビ放送方式の変更等に応じて、ＨＤ放送とＳＤ放送に限らず、１チャンネルの放送形式と複数チャンネルの放送形式とが混在する番組編成に対して本発明を適用することができることはいうまでもない。
【図面の簡単な説明】
【００２７】
【図１】本発明の一実施形態に係るテレビジョン受信装置及びテレビ放送記録再生装置を示す図である。
【図２】本発明の一実施形態に係る電子番組表表示装置の要部の構成図である。
【図３】本発明の一実施形態に係る番組表表示処理を説明する図である。
【図４】本発明の一実施形態に係る画面表示される番組表を示す図である。
【図５】本発明の一実施形態に係る画面表示されるマルチチャンネル放送に係る番組表示の一例を示す図である。
【図６】本発明の一実施形態に係る画面表示されるマルチチャンネル放送に係る番組表示の一例を示す図である。
【図７】本発明の一実施形態に係る画面表示されるマルチチャンネル放送に係る番組表示の一例を示す図である。
【図８】本発明の一実施形態に係る画面表示されるマルチチャンネル放送に係る番組表示の一例を示す図である。
【図９】本発明の一実施形態に係る画面表示されるマルチチャンネル放送に係る番組表示の一例を説明する図である。
【発明を実施するための形態】
【００２８】
図１には、本願発明の一実施形態に係る電子番組表表示装置を適用するテレビジョン受信装置１及びテレビ放送記録再生装置３の外観を示してある。
テレビジョン受信装置１は、アンテナによりデジタル放送を受信して、放送番組をスピーカから音声出力するとともに画面２から映像出力する。
テレビ放送記録再生装置３は、テレビジョン受信装置１に接続されて、テレビジョン受信装置１が受信したデジタル放送或いは自らが受信したデジタル放送番組を記録媒体に再生可能に記録する。
これらテレビジョン受信装置１及びテレビ放送記録再生装置３は、自らが備える操作ボタン等の操作部からユーザ操作入力を受け付ける他、リモコン４からの信号を受信してユーザ操作入力を受け付けることができる。
【００２９】
図２には、本発明の一実施形態として、テレビジョン受信装置１に一体的に備えられた電子番組表表示装置の構成を示してある。
この電子番組表表示装置は、アンテナ５、チューナ６、画像処理部７、表示ドライバ８、操作部９、受信部１０、制御部１１を有している。
【００３０】
アンテナ５はデジタル放送とともに電子番組ガイドデータを受信し、チューナ６はデジタル放送及び電子番組ガイドデータの受信処理を行なう。
画像処理部７は受信処理されたデジタル放送の映像復号化等の処理を行ない、このデジタル放送による番組映像を表示ドライバ８が画面２に表示する。
【００３１】
制御部１１は、操作部９から入力されたユーザ操作や受信部１０を介してリモコン４から入力されたユーザ操作に応じて、番組表の表示に係る制御処理を行なう。
この番組表の表示に係る制御処理のために、制御部１１は、通常の番組表（図４参照）を画面２に表示するための処理を行なう番組表表示部１２、画面２に表示された通常の番組表においていずれの放送局又は放送番組がユーザ操作により選択されたかを判定する選択判定部１３、選択判定部１３により選択が判定されたことに応じてマルチチャンネル放送に係る番組表示を画面２に表示するための処理を行なうマルチチャンネル表示部１４を有している。
【００３２】
ここで、本願発明に係る説明では、「選択」と「決定」とは、段階の異なる操作を意味しており、例えば、番組表において放送局名や放送番組名が表示されている領域にカーソルを置いたり或いは当該領域をハイライトさせるユーザ操作は「選択」、選択された領域に対して更にボタン操作などを行なって選択を確定するユーザ操作は「決定」という。例えば、画面２に表示された番組表において、他の番組名が表示された枠をハイライトさせ、決定ボタンを押すことにより、視聴する番組を切替えることができる。
【００３３】
電子番組ガイドデータには、放送番組の編成に対応して、放送局名、各放送局に割り当てられたチャンネル名、各チャンネルの番組情報などが含まれており、番組情報には、番組の開始時刻、放送時間、番組名などが含まれている。例えばＨＤ放送１チャンネルとＳＤ放送３チャンネルとが混在した番組編成の場合には、ＨＤ放送される番組情報と、マルチチャンネル放送されるＳＤ放送の各チャンネル毎の番組情報が含まれている。
制御部１１は、アンテナ５を介してチューナ６で受信処理された電子番組ガイドデータに基づいて、通常の番組表及びマルチチャンネル放送に係る番組表示を画面２に表示するための処理を行なう。
【００３４】
番組表表示部１２は、電子番組ガイドデータに基づいて所定の形式で通常の番組表を作成し、作成した番組表を表示ドライバ８により画面２に表示する。
本例の通常の番組表は、図４に示すように、「総合テレビ」「教育テレビ」「××放送」「ＡＡＡテレビ」「○○チャン」「△△ＴＶ」といった名称の各放送局について、それぞれの第１チャンネル名「総合テレビ１」「教育テレビ１」「××放送１」「ＡＡＡテレビ１」「○○チャン１」「△△ＴＶ１」を各放送局名を代表して横軸方向に表示し、縦軸方向には放送時間（図示の例では、午前１０時から午後２時）を表示して、これら放送局名と放送時刻とによる行列形式の枠に「ニュース」「天気予報」「クイズＺＺＺ」「競馬中継」「バラエティー」「シネマＡＡ」などの放送番組名を表示する。
なお、本願発明は、上記のような行列形式による番組表表示に限らず、種々な形式の番組表に適用することができる。
【００３５】
この通常の番組表では、図４に示すように、或る放送局或いは放送番組にマルチチャンネル放送がある場合でも、その第１チャンネルの番組名が表示される。
したがって、例えばＨＤ放送１チャンネルとＳＤ放送３チャンネルとが混在した番組編成に対して、放送時間帯の枠に、ＨＤ放送波はその番組名が表示され、ＳＤ放送は第１チャンネルの番組名が表示され、全体としてコンパクトな表示形態となっている。
【００３６】
選択判定部１３は、操作部９から入力されたユーザ操作や受信部１０を介してリモコン４から入力されたユーザ操作により、画面２に表示された通常の番組表（図４）において、いずれの放送局又は放送番組がユーザ操作により選択されたかを判定する。
本例では、通常の番組表において、ユーザ操作により選択されると、選択された各放送局名や各放送番組名の枠がハイライト表示される。
【００３７】
マルチチャンネル表示部１４は、ユーザにより放送局又は放送番組が選択されたことに応じて、電子番組ガイドデータに基づいて、選択された放送局又は放送番組に関連するマルチチャンネル放送があるか否かを検出し、マルチチャンネル放送がある場合には、マルチチャンネル放送の番組情報を画面表示する等の処理を行なう。例えば、当該マルチチャンネル放送される放送番組名を、放送チャンネル名と放送時刻とによる行列形式で画面２上に表示する処理を行なう。
【００３８】
このマルチチャンネル放送の番組情報の表示は、例えば、マルチチャンネル放送に係る放送番組名を通常の番組表と同様な行列形式でサブウインドウに表示し、このサブウインドウを画面２上の任意の位置に通常の番組表の上に重ねて表示する態様でもよいが、本例では、図５乃至図９に示すように、選択された放送局又は放送番組の番組表示に隣接させて、マルチチャンネル放送に係る放送番組名を画面２上に通常の番組表の上に重ねて表示する態様としている。
また、マルチチャンネル表示部１４は、マルチチャンネル放送の番組情報を種々な方法や態様で行なうことができ、これら方法や態様は図５乃至図９を参照して後述する。
【００３９】
図５乃至図９に示す例ではマルチチャンネル放送の番組情報の表示は、マルチチャンネル放送される放送番組名を、放送チャンネル名と放送時刻とによる行列形式で画面２上に表示するものであり、３チャンネルのＳＤ放送があるときには、各チャンネルの放送番組名が通常の番組表と同じ横軸・縦軸の行列形式で画面２上に表示する。
【００４０】
図５に示す例は、通常の番組表において放送局「教育テレビ」を表す「教育テレビ１」の枠が選択された場合であり、この放送局「教育テレビ」では、午前１１時から午後１時半にかけてマルチチャンネル放送がされている。そこで、マルチチャンネル表示部１４が、通常の番組表で表示されている放送チャンネル名「教育テレビ１」及びその放送番組名「今日の料理」「体操」「子育て」・・・に加えて、マルチチャンネル放送されている他の放送チャンネル名「教育テレビ２」「教育テレビ３」及びそれらの放送番組名「古典」「イタリア語」・・・、「社会」「みんなのうた」・・・を該当する放送時刻の時間帯の枠に表示させる。
【００４１】
したがって、ユーザは、通常の番組表において、任意の放送局名（すなわち、放送局）を選択することにより、当該放送局においてマルチチャンネル放送がされているか、更にはマルチチャンネル放送されている時間帯や番組名を視覚によって直感的に確認することができる。
【００４２】
なお、図５に示す例において、表示するマルチチャンネル放送の番組情報は、選択された放送局の放送時間の所定の放送時間に亘って表示するように設定することができ、例えば現在時刻から６時間の範囲といったように、ある限られた時間のマルチチャンネル放送番組情報を表示してもよく、あるいは、選択された放送局の放送時間の全般に亘って表示するようにしてもよい。
【００４３】
図６に示す例は、通常の番組表において、放送チャンネル「総合テレビ１」で放送される放送番組を表す番組名「ニュース」の枠が選択された場合であり、この放送局「総合テレビ」では、選択した「ニュース」と同じ午後０時からの時間帯にマルチチャンネル放送がされている。そこで、マルチチャンネル表示部１４が、通常の番組表で表示されている放送チャンネル「総合テレビ１」に加えて、マルチチャンネル放送されている他の放送チャンネル名「総合テレビ２」「総合テレビ３」及びそれらの放送番組名「国会中継」「ドキュメンタリー」を選択した「ニュース」の枠に隣接した枠に表示させる。
【００４４】
したがって、ユーザは、通常の番組表において、任意の放送番組名（すなわち、放送番組）を選択することにより、当該放送局においてマルチチャンネル放送がされているか、更には選択した放送番組の同じ時間帯にマルチチャンネル放送されている番組名を視覚によって直感的に確認することができる。
【００４５】
なお、図６の例では選択した番組と同じ時間帯のマルチチャンネル放送に係る番組名を表示したが、本発明では、例えば図７に示すように、選択した放送番組を起点として、当該放送番組の開始時刻以降のマルチチャンネル放送されている番組名を表示するようにしてもよい。
すなわち、図７の例は、通常の番組表において、放送チャンネル「教育テレビ１」で放送される番組名「高校講座」の枠が選択された場合であり、この放送局「教育テレビ」では、選択した「高校講座」の放送開始時刻以降にマルチチャンネル放送がされている。そこで、マルチチャンネル表示部１４が、通常の番組表で表示されている放送チャンネル「教育テレビ１」に加えて、マルチチャンネル放送されている他の放送チャンネル名「教育テレビ２」「教育テレビ３」及びそれらの放送番組名「古典」「イタリア語」・・・、「社会」「みんなのうた」・・・を選択した「高校講座」の枠に隣接した一連の枠に表示させる。
【００４６】
したがって、ユーザは、通常の番組表において、任意の放送番組名を選択することにより、当該放送局においてマルチチャンネル放送がされているか、更には選択した放送番組の時間帯以降にマルチチャンネル放送されている番組名を視覚によって直感的に確認することができる。
【００４７】
ここで、例えば、３つのＳＤ放送で同じ番組が放送されているといったように、通常の番組表で表示されている放送番組と同じ放送番組がマルチチャンネル放送されている場合がある。このような場合には、マルチチャンネル表示部１４は、通常の番組表で選択された放送番組に関連してマルチチャンネル放送があっても、同じ番組であれば、マルチチャンネル放送の番組を表示しないようにしてもよい。
【００４８】
また、マルチチャンネル表示部１４による上記のようなマルチチャンネル放送の番組情報表示は、種々な態様を採用することができ、例えば、マルチチャンネル放送の番組情報を表示する表示部を通常の番組表とは色を違える、あるいは、マルチチャンネル放送の番組情報を表示する表示部の枠を太くしたり又はハイライトしたりと言った方法で強調表示するのが好ましい。これにより、マルチチャンネル放送の番組情報表示をより分かり易くすることができる。
【００４９】
図８には、マルチチャンネル放送の番組情報の表示態様について、更なる例を示してある。
この例では、マルチチャンネル表示部１４が、図８（ｂ）に示すように、マルチチャンネル放送の番組情報を半透明又は透明の表示部で表示し、この表示部を図８（ａ）に示すように、通常の番組表に重ねて表示する。
【００５０】
すなわち、図８に示す例は、通常の番組表（図４）において「ＡＡＡテレビ１」の番組名「△△情報」が選択された場合であり、この放送局「ＡＡＡテレビ」ではマルチチャンネル放送がされている。そこで、マルチチャンネル表示部１４が、通常の番組表に重ねて、半透明又は透明の表示部で表示される他のマルチ放送チャンネル名「ＡＡＡテレビ２」「ＡＡＡテレビ３」及びそれらの放送番組名「××情報」「映画情報」「○○情報」を選択した「△△情報」に隣接して表示させる。
【００５１】
したがって、ユーザは、通常の番組表において、任意の放送局名あるいは放送番組を選択することにより、関連するマルチチャンネル放送がされているか、更にはマルチチャンネル放送されている時間帯や番組名を視覚によって直感的に確認することができる。そして、このマルチチャンネル放送番組情報の表示がなされた場合にあっても、マルチチャンネル放送番組情報の表示部を透けて、通常の番組情報（図８の例では、「○○チャンネル１」の「ワイドショー００」と、「△△ＴＶ１」の「ショッピング」）も表示され、ユーザに番組に関する多くの情報を提示することができる。
【００５２】
図９には、マルチチャンネル放送の番組情報の表示態様について、更なる例を示してある。
この例では、放送局や放送番組を選択するために、ユーザ操作に応じて番組表上を移動するカーソルＣの動きに対応させて、マルチチャンネル放送番組情報を表示する。すなわち、マルチチャンネル表示部１４が、マルチチャンネル放送の番組情報をカーソルＣが移動して来た側に表示する。
【００５３】
図９には、図４に示した「ＡＡＡテレビ１」の番組名「△△情報」部分を示してあり、ユーザ操作によってカーソルＣが移動して、番組名「△△情報」を選択する。
この番組名「△△情報」には、「ＡＡＡテレビ２」の「××情報」「映画情報」及び「ＡＡＡテレビ３」の「○○情報」がマルチチャンネル放送の番組情報として関連しており、マルチチャンネル表示部１４が、これらマルチチャンネル放送の番組情報を表示する。
【００５４】
この際、マルチチャンネル表示部１４は、図９（ａ）に示すように、カーソルＣが「△△情報」の右側から移動して来て「△△情報」を選択した場合には、マルチチャンネル放送の番組情報を「△△情報」の右側に表示する。他方、マルチチャンネル表示部１４は、図９（ｂ）に示すように、カーソルＣが「△△情報」の左側から移動して来て「△△情報」を選択した場合には、マルチチャンネル放送の番組情報を「△△情報」の左側に表示する。
したがって、ユーザが予測した位置に、マルチチャンネル放送の番組情報を表示することができる。
【００５５】
上記の番組表表示は、図３に示すような処理によってなされる。
まず、電子番組表を画面２に表示させるユーザ操作が入力されると、番組表表示部１２が、画像処理部７及び表示ドライバ８を制御して、電子番組ガイドデータに基づいて通常の番組表（図４）を作成して画面２に表示する（ステップＳ１）。
通常の番組表が画面表示されると、選択判定部１３が、通常の番組表において放送局又は放送番組を選択するユーザ操作が入力されたかを監視し（ステップＳ２）、このユーザ操作入力があったときは、選択された対象がいずれの放送局又は放送番組であるかを判定する（ステップＳ３）。
【００５６】
選択判定部１３がユーザにより選択された放送局又は放送番組を判定したことに応じて、マルチチャンネル表示部１４は、電子番組ガイドデータに基づいて、選択された放送局又は放送番組においてマルチチャンネル放送があるか否かを検出し（ステップＳ４）、マルチチャンネル放送がある場合には、当該マルチチャンネル放送される放送番組名を、図５乃至図９基づいて説明したように、画面２上に表示する（ステップＳ５）。
そして、ユーザ操作により選択された放送番組に対して決定する入力があった場合には（ステップＳ６）、テレビジョン受信装置１の番組表示機能により、この選択決定された番組へ画面２の表示を切替える（ステップＳ７）。
【００５７】
なお、本発明に係る実施形態例として、上記マルチチャンネル放送される放送番組名の画面表示処理（ステップＳ５）において、選択判定部１３はユーザ操作入力により他の放送局又は放送番組への選択が変更されたかを監視しており（ステップＳ５１）、選択判定部１３が選択変更があったことを判定したことに応じて、マルチチャンネル表示部１４は、先の選択によって画面表示しているマルチチャンネル放送される番組の表示を画面２から消去し（ステップＳ５２）、選択対象の判定処理（ステップＳ３）へ移行する。
これにより、選択が変更された放送局や番組に係るマルチチャンネル放送される番組の表示が画面２から消去されて、通常の番組表上に無用な表示がされたままの状態を自動的に回避することができ、そして、新たに選択された放送局や番組に係るマルチチャンネル放送される番組が画面表示される。
【００５８】
ここで、電子番組表表示装置がテレビジョン受信装置１に備えられた例を説明したが、テレビ放送記録再生装置３に備えられる場合には、例えば、テレビジョン受信装置１の画面２を番組表を表示するモニタ画面として利用して、テレビ放送記録再生装置３から番組表を画面表示させる信号をテレビジョン受信装置１へ出力するようにすればよい。
また、上記に示した制御部１１等の機能部は、ハードウエアによって構成してもよく、或いは、コンピュータハードウエアによって所定のプログラムを実行することによって構成してもよい。
【符号の説明】
【００５９】
１：入テレビジョン受信装置、  ２：画面、
３：テレビ放送記録再生装置、  ４：リモコン、
５：アンテナ、  ６：チューナ、
７：画像処理部、  ８：表示ドライバ、
９：操作部、  １０：受信部、
１１：制御部、  １２：番組表表示部、
１３：選択判定部、  １４：マルチチャンネル表示部、
Ｃ：カーソル、
【図１】
2014116725.tif 000003
【図２】
2014116725.tif 000004
【図３】
2014116725.tif 000005
【図４】
2014116725.tif 000006
【図５】
2014116725.tif 000007
【図６】
2014116725.tif 000008
【図７】
2014116725.tif 000009
【図８】
2014116725.tif 000010
【図９】
2014116725.tif 000011